(57)【要約】【課題】内部材に対して回転可能な外部材を有し、別体の規制部材を用いることなく外部材の回転を規制する水栓を提供する。【解決手段】水栓は、側面に開口部を有する筒状形状の内部材と、内部材の一部の周囲を囲んで設けられ、内部材と同軸の筒状形状の幹部と、幹部の側面から外部へ分岐し、内部材の開口部と対応する箇所に配置されている筒状形状の枝部と、を有し、幹部と枝部とは互いに連通する、外部材と、外部材の前記枝部に連結された吐出部と、内部材の内側から開口部を介して外部材の枝部の内部空間にわたって挿通され、吐出部と接続されている管と、を備え、外部材は、幹部を芯として内部材に対して回転可能であって、外部材は、幹部から枝部への分岐箇所にわたって内面側に突出するように外部材と一体的に設けられ、外部材の内部材に対する回転によって内部材の開口部の端部と当接して外部材の回転を規制するリブを有する。【選択図】図７Ａ
2019210634.tif 000002
【特許請求の範囲】
【請求項１】
側面に開口部を有する筒状形状の内部材と、
前記内部材の一部の周囲を囲んで設けられ、前記内部材と同軸の筒状形状の幹部と、前記幹部の側面から外部へ分岐し、前記内部材の前記開口部と対応する箇所に配置されている筒状形状の枝部と、を有し、前記幹部と前記枝部とは互いに連通する、外部材と、
前記外部材の前記枝部に連結された吐出部と、
前記内部材の内側から前記開口部を介して前記外部材の前記枝部の内部空間にわたって挿通され、前記吐出部と接続されている管と、
を備え、
前記外部材は、前記幹部を芯として前記内部材に対して回転可能であって、
前記外部材は、前記幹部から前記枝部への分岐箇所にわたって内面側に突出するように前記外部材と一体的に設けられ、前記外部材の前記内部材に対する回転によって前記内部材の前記開口部の端部と当接して前記外部材の前記回転を規制するリブを有する、水栓。
【請求項２】
前記リブは、前記外部材の前記幹部から前記枝部への分岐方向の両側に２つ設けられており、前記管は、前記２つのリブの間を通るように設けられている、請求項１に記載の水栓。
【請求項３】
前記リブは、
前記幹部の内面を前記枝部への分岐箇所にわたって仮想的に延長した仮想内面より前記幹部の外面側であって、前記枝部の内面側に突出する前端部と、
前記仮想内面より内面側に突出する後端部と、
を有する、請求項１又は２に記載の水栓。
【請求項４】
前記リブは、前記幹部から前記枝部への分岐方向において、前記前端部が後端部より長い、請求項３に記載の水栓。
【請求項５】
前記リブは、前記後端部から前記前端部を結ぶ直線が前記幹部から前記枝部への分岐方向に対して交差するように前記分岐方向について傾斜して設けられている、請求項３又は４に記載の水栓。
【請求項６】
前記リブの前記後端部は、前記幹部から前記枝部への分岐方向に垂直な面に対して傾斜した面で前記内部材の前記開口部の端部と当接する、請求項３から５のいずれか一項に記載の水栓。
【請求項７】
前記内部材の前記開口部の前記端部は、前記外部材の前記リブと面接触で当接する受け面を有する、請求項１から６のいずれか一項に記載の水栓。
【発明の詳細な説明】
【技術分野】
【０００１】
本発明は、内部材に対して回転可能な外部材を有する水栓に関する。
【背景技術】
【０００２】
従来、内部材である水栓本体に対して回転可能な外部材であるカバー体を有する水栓において、カバー体の回転を制限するものが知られている（例えば、特許文献１参照。）。この水栓では、水栓本体及びカバー体とは別体の規制部材を着脱可能に設けてカバー体の回転を規制している。
【先行技術文献】
【特許文献】
【０００３】
【特許文献１】特開２００６−２３３４７０号公報
【発明の概要】
【発明が解決しようとする課題】
【０００４】
しかし、上記従来技術では、内部材及び外部材とは別体の規制部材を用いているので、組み立て性やコストの観点から問題があった。
【０００５】
そこで、本発明の目的は、内部材に対して回転可能な外部材を有し、別体の規制部材を用いることなく外部材の回転を規制する水栓を提供することである。
【課題を解決するための手段】
【０００６】
本発明に係る水栓は、側面に開口部を有する筒状形状の内部材と、
前記内部材の一部の周囲を囲んで設けられ、前記内部材と同軸の筒状形状の幹部と、前記幹部の側面から外部へ分岐し、前記内部材の前記開口部と対応する箇所に配置されている筒状形状の枝部と、を有し、前記幹部と前記枝部とは互いに連通する、外部材と、
前記外部材の前記枝部に連結された吐出部と、
前記内部材の内側から前記開口部を介して前記外部材の前記枝部の内部空間にわたって挿通され、前記吐出部と接続されている管と、
を備え、
前記外部材は、前記幹部を芯として前記内部材に対して回転可能であって、
前記外部材は、前記幹部から前記枝部への分岐箇所にわたって内面側に突出するように前記外部材と一体的に設けられ、前記外部材の前記内部材に対する回転によって前記内部材の前記開口部の端部と当接して前記外部材の前記回転を規制するリブを有する。
【発明の効果】
【０００７】
本発明に係る水栓によれば、別体の規制部材を用いることなく、外部材と一体的に設けられたリブによって外部材の回転を規制することができる。
【図面の簡単な説明】
【０００８】
【図１】実施の形態１に係る水栓の構成を示す概略図である。
【図２Ａ】図１の水栓の内部材に外部材を回転可能に接合している状態を示す概略斜視図である。
【図２Ｂ】外部材の枝部を紙面手前側に向けた状態を示す概略斜視図である。
【図２Ｃ】外部材の枝部を紙面左側に向けた状態を示す概略斜視図である。
【図２Ｄ】図２Ｃの内部材及び外部材の断面構成を示すｙｚ面についての概略断面図である。
【図３Ａ】内部材の開口部を示す概略斜視図である。
【図３Ｂ】内部材の開口部と反対側を示す概略斜視図である。
【図４】外部材の外観を示す概略斜視図である。
【図５Ａ】外部材の断面構成を示すｙｚ面についての概略断面図である。
【図５Ｂ】外部材の断面構成を示すｚｘ面についての概略断面図である。
【図５Ｃ】外部材の幹部から枝部への分岐箇所におけるｚ軸に垂直な面についての概略断面図である。
【図６Ａ】２つの金型を用いて外部材を製造する際の金型と外部材の内側のリブとの関係を示すｙｚ面についての概略断面図である。
【図６Ｂ】図６Ａの状態から金型３４ｂを抜き出した後、金型３４ａを矢印方向に移動させて抜き出す製造方法の一工程を示すｙｚ面についての概略断面図である。
【図７Ａ】図２ＤのＡ−Ａ方向から見た内部材及び外部材のｚ軸に垂直な面についての概略断面図である。
【図７Ｂ】図７Ａの外部材についてのｚ軸に垂直な面についての概略断面図である。
【図７Ｃ】図７Ａの内部材についてのｚ軸に垂直な面についての概略断面図である。
【図８】内部材の端部の受け面を示す部分図である。
【図９Ａ】内部材の端部の受け面と外部材のリブの当接面との面接触を示す概略図である。
【図９Ｂ】内部材の端部の受け面の傾斜が図９Ａと異なる場合の内部材の端部の受け面と外部材のリブの当接面との面接触を示す概略図である。
【図１０Ａ】外部材のリブの当接面を形成する先端部の角度が６０度未満の鋭角である場合を示す概略図である。
【図１０Ｂ】外部材のリブの当接面を形成する先端部の角度が略直角である場合を示す概略図である。
【図１０Ｃ】外部材のリブの当接面を形成する先端部の角度が１２０度を超える鈍角である場合を示す概略図である。
【発明を実施するための形態】
【０００９】
第１の態様に係る水栓は、側面に開口部を有する筒状形状の内部材と、
前記内部材の一部の周囲を囲んで設けられ、前記内部材と同軸の筒状形状の幹部と、前記幹部の側面から外部へ分岐し、前記内部材の前記開口部と対応する箇所に配置されている筒状形状の枝部と、を有し、前記幹部と前記枝部とは互いに連通する、外部材と、
前記外部材の前記枝部に連結された吐出部と、
前記内部材の内側から前記開口部を介して前記外部材の前記枝部の内部空間にわたって挿通され、前記吐出部と接続されている管と、
を備え、
前記外部材は、前記幹部を芯として前記内部材に対して回転可能であって、
前記外部材は、前記幹部から前記枝部への分岐箇所にわたって内面側に突出するように前記外部材と一体的に設けられ、前記外部材の前記内部材に対する回転によって前記内部材の前記開口部の端部と当接して前記外部材の前記回転を規制するリブを有する。
【００１０】
第２の態様に係る水栓は、上記第１の態様において、前記リブは、前記外部材の前記幹部から前記枝部への分岐方向の両側に２つ設けられており、前記管は、前記２つのリブの間を通るように設けられていてもよい。
【００１１】
第３の態様に係る水栓は、上記第１又は第２の態様において、前記リブは、
前記幹部の内面を前記枝部への分岐箇所にわたって仮想的に延長した仮想内面より前記幹部の外面側であって、前記枝部の内面側に突出する前端部と、
前記仮想内面より内面側に突出する後端部と、
を有してもよい。
【００１２】
第４の態様に係る水栓は、上記第３の態様において、前記リブは、前記幹部から前記枝部への分岐方向において、前記前端部が前記後端部より長くてもよい。
【００１３】
第５の態様に係る水栓は、上記第３又は第４の態様において、前記リブは、前記後端部から前記前端部を結ぶ直線が前記幹部から前記枝部への分岐方向に対して交差するように前記分岐方向について傾斜して設けられていてもよい。
【００１４】
第６の態様に係る水栓は、上記第３から第５のいずれかの態様において、前記リブの前記後端部は、前記幹部から前記枝部への分岐方向に垂直な面に対して傾斜した面で前記内部材の前記開口部の端部と当接してもよい。
【００１５】
第７の態様に係る水栓は、上記第１から第６のいずれかの態様において、前記内部材の前記開口部の前記端部は、前記外部材の前記リブと面接触で当接する受け面を有してもよい。
【００１６】
上記構成によれば、内部材の開口部の端部と外部材のリブとが互いに面接触で当接するので、外部材の内部材に対する回転を安定して規制できる。また、内部材の開口部の端部の受け面の角度を変化させることで外部材の回転角度を微調整できる。
【００１７】
以下、実施の形態に係る水栓について、添付図面を参照しながら説明する。なお、図面において実質的に同一の部材については同一の符号を付している。
【００１８】
（実施の形態１）
図１は、実施の形態１に係る水栓４０の構成を示す概略図である。図２Ａは、図１の水栓４０の内部材１０に外部材２０を回転可能に接合している状態を示す概略斜視図である。図２Ｂは、外部材２０の枝部２３を紙面手前側に向けた状態を示す概略斜視図である。図２Ｃは、外部材２０の枝部２３を紙面左側に向けた状態を示す概略斜視図である。図２Ｄは、図２Ｃの内部材１０及び外部材２０の断面構成を示すｙｚ面についての概略断面図である。なお、図面において、便宜上、内部材１０に対する外部材２０の回転軸をｚ軸方向としている。また、外部材２０の幹部２１から枝部２３への分岐方向をｙ軸方向とし、右手系の直交座標系としてｘ軸方向を示している。
【００１９】
実施の形態１に係る水栓４０は、図１に示すように、シングルレバー型の水栓である。この水栓４０は、レバー１と、筒状形状の内部材１０と、内部材１０の一部を覆う外部材２０と、水と湯との混合水が内部を通る管３２と、管３２と接続された吐出部３０と、を備える。レバー１によって、水と湯との混合比率の調節と、水と湯との混合水の水量の調節と、を行う。内部材１０は、側面に開口部１２を有し、開口部１２の両側には端部１４ａ、１４ｂを有する。外部材２０は、内部材１０の一部の周囲を囲んで設けられ、内部材１０と同軸の筒状形状の幹部２１と、幹部２１の側面から分岐し、内部材１０の開口部１２と対応する箇所に配置されている筒状形状の枝部２３と、を有する。なお、幹部２１と枝部２３とは互いに連通している。また、吐出部３０は、外部材２０の枝部２３に連結されている。さらに、管３２は、内部材１０の内側から開口部１２を介して外部材２０の枝部２３の内部空間にわたって挿通され、吐出部３０と接続されている。外部材２０は、幹部２１を芯として内部材１０に対して回転可能である。外部材２０は、幹部２１から枝部２３への分岐箇所２４にわたって内面側に突出するように外部材２０と一体的に設けられたリブ２５を有する。このリブ２５は、外部材２０の内部材１０に対する回転によって内部材１０の開口部１２の端部１４ａ、１４ｂと当接して外部材２０の回転を規制する。
この水栓４０によれば、別体の規制部材を用いることなく、外部材２０と一体的に設けられたリブ２５によって外部材２０の回転を規制することができる。
【００２０】
以下に、この水栓４０を構成する各構成部材について説明する。
【００２１】
＜レバー＞
図１に示すように、水栓４０は、外部材２０の頂部にレバー１を設けている。レバー１によって、水と湯との混合比率の調節と、水と湯との混合水の水量の調節と、を行う。
【００２２】
＜内部材＞
図３Ａは、内部材１０の開口部１２を示す概略斜視図である。図３Ｂは、内部材１０の開口部１２と反対側を示す概略斜視図である。
内部材１０は、図３Ａに示すように、側面に開口部１２を有する筒状形状である。開口部１２は、後述する外部材２０の枝部２３と対応する。開口部１２は、例えば、図３Ａに示すように、内部材１０の全周のおよそ半分を開口している。開口部１２の両側には端部１４ａ、１４ｂを有する。端部１４ａ、１４ｂは、図３Ｂの開口部１２の背面側から見た場合に外面側に突出しており、肉厚に設けられている。この端部１４ａ、１４ｂは、図７Ａに示すように、外部材２０の回転によって、外部材２０の内側に設けられたリブ２５ａ、２５ｂと当接し、外部材２０の回転を規制する。
また、内部材１０は、内側に管３２を挿通させると共に、その周囲を囲む外部材２０の幹部２１を回転可能に支持する。内部材１０は、例えば、樹脂製であってもよい。また、内部材１０は、例えば、水栓４０を設置する台に固定され、全体を支持する。
【００２３】
＜外部材＞
図４は、外部材２０の外観を示す概略斜視図である。図５Ａは、外部材２０の断面構成を示すｙｚ面についての概略断面図である。図５Ｂは、外部材２０の断面構成を示すｚｘ面についての概略断面図である。図５Ｃは、外部材２０の幹部２１から枝部２３への分岐箇所におけるｚ軸に垂直な面についての概略断面図である。
外部材２０は、幹部２１と枝部２３とを有する。幹部２１は、内部材１０の一部の周囲を囲んで設けられ、内部材１０と同軸の筒状形状を有する。幹部２１は、内部材１０について回転可能なように内部材１０の上部と嵌合するようにしてもよい。枝部２３は、幹部２１の側面から分岐し、内部材１０の開口部１２と対応する箇所に配置されている筒状形状を有する。幹部２１から枝部２３への分岐方向は、ｚ軸方向に対して、例えば、４５度以上、９０度以下の角度を有する。また、幹部２１と枝部２３とは互いに連通している。外部材２０は、図２Ａに示すように、幹部２１を芯として内部材１０に対して回転可能である。また、外部材２０は、図５Ａ乃至図５Ｃに示すように、幹部２１から枝部２３への分岐箇所２４にわたって内面側に突出するように外部材２０と一体的に設けられたリブ２５を有する。このリブ２５は、外部材２０の内部材１０に対する回転によって、内部材１０の開口部１２の端部１４ａと当接し、外部材２０の回転を規制する。
なお、外部材２０は、例えば、樹脂からなる。樹脂としては、例えば、ＰＭＭＡを用いてもよい。
【００２４】
リブ２５は、外部材２０と共に一体的に形成されている。リブ２５は、例えば、樹脂で形成されていてもよい。リブ２５は、図５Ｂ及び図５Ｃに示すように、外部材２０の幹部２１から枝部２３への分岐方向の両側に２つ設けられていてもよい。２つのリブ２５ａ、２５ｂによって、外部材２０の回転規制を回転方向ごとに個別に制御できる。また、管３２は、２つのリブ２５ａ、２５ｂの間を通るように設けられていてもよい。さらに、リブ２５は、図５Ａ及び図７Ｂに示すように、仮想内面２２より幹部２１の外面側に突出する前端部２６ａと、仮想内面２２より内面側に突出する後端部２６ｂと、を有してもよい。仮想内面２２は、幹部２１の内面を枝部２３への分岐箇所２４にわたって仮想的に延長したものである。前端部２６ａは、仮想内面２２より幹部２１の外面側に突出すると共に、枝部２３の内面側に突出する。また、リブ２５は、幹部２１から枝部２３への分岐方向（ｙ軸方向）において、前端部２６ａが後端部２６ｂより長くてもよい。これにより、リブ２５の後端部２６ｂが前端部２６ａより短いので、後端部２６ｂで受ける力を比較的小さく抑えることができる。そこで、リブ２５が外部材２０の内面から剥がれにくくなる。さらに、リブ２５は、後端部２６ｂから前端部２６ａを結ぶ直線が幹部２１から枝部２３への分岐方向（ｙ軸方向）と交差するように分岐方向（ｙ軸方向）について傾斜して設けられていてもよい。この場合、例えば、後端部２６ｂから前端部２６ａを結ぶ直線が分岐方向（ｙ方向）と交差する箇所は、２つのリブ２５ａ、２５ｂについて実質的に同じであってもよい。
【００２５】
＜リブによる外部材の回転規制について＞
図７Ａは、図２ＤのＡ−Ａ方向から見た内部材１０及び外部材２０のｚ軸に垂直な面についての概略断面図である。図７Ｂは、図７Ａの外部材２０についてのｚ軸に垂直な面についての概略断面図である。図７Ｃは、図７Ａの内部材１０についてのｚ軸に垂直な面についての概略断面図である。図８は、内部材１０の端部１４ａの受け面１６ａを示す部分図である。図９Ａは、内部材１０の端部１４ａの受け面１６ａと外部材２０のリブ２５ａの当接面２７ａとの面接触を示す概略図である。図９Ｂは、内部材１０の端部１４ａの受け面１６ａの傾斜が図９Ａと異なる場合の内部材１０の端部１４ａの受け面１６ａと外部材２０のリブ２５ａの当接面２７ａとの面接触を示す概略図である。
【００２６】
従来は、上述のように別体の規制部材を用いて外部材の回転を規制していたが、別体の部材を含めた組み立て性の問題やコストの問題があった。本発明者は、外部材２０の内側に突出するリブ２５を設け、内部材１０の開口部１２の端部１４ａ、１４ｂと当接させることで外部材２０の回転を規制できることを見出し、本発明に至った。
具体的には、図７Ａに示すように、外部材２０のリブ２５ａは、右回転すると内部材１０の端部１４ａの受け面１６ａと当接し、外部材２０の右回転が規制される。また、外部材２０のリブ２５ｂは、左回転すると内部材１０の端部１４ｂの受け面１６ｂと当接し、外部材２０の左回転が規制される。２つのリブ２５ａ、２５ｂによって、外部材の右回転及び左回転のそれぞれを規制することができる。
【００２７】
内部材１０の端部１４ａの受け面１６ａは、図７Ｃ、図８及び図９Ａに示すように、端部１４ａの半径方向に沿った面に対して傾斜を有する。この受け面１６ａの傾斜は、リブ２５ａの当接面２７ａと面接触するように設けられている。内部材１０の端部１４ａの受け面１６ａとリブ２５ａの当接面２７ａとを面接触させることで、外部材２０の回転を安定して規制できる。また、面接触による回転規制なので、端部１４ａ及びリブ２５ａの各部材の耐久性を向上させることができる。内部材１０の端部１４ａと外部材２０のリブ２５ａとが、例えば、それぞれの先端で点接触する場合には、それぞれの先端でうける負荷が大きくなるため、端部１４ａ及びリブ２５ａの各部材について十分な耐久性を確保できない場合がある。
【００２８】
また、図９Ｂに示すように、この受け面１６ａの傾斜を図９Ａに比べて変化させることで、内部材１０の端部１４ａとリブ２５ａとの当接位置がわずかに変化する。そこで、内部材１０の端部１４ａの受け面１６ａの傾斜によって、規制する回転角の範囲を微調整できる。
【００２９】
＜リブの先端部の形状について＞
図１０Ａは、外部材２０のリブ２５ａの当接面２７ａを形成する先端部の角度が６０度未満の鋭角α１である場合を示す概略図である。図１０Ｂは、外部材２０のリブ２５ａの当接面２７ａを形成する先端部の角度が略直角α２である場合を示す概略図である。図１０Ｃは、外部材２０のリブ２５ａの当接面２７ａを形成する先端部の角度が１２０度を超える鈍角α３である場合を示す概略図である。
図１０Ａ乃至図１０Ｃに示すように、リブ２５ａの当接面２７ａを形成する先端部の角度が６０度未満の鋭角α１の場合には、先端部が損傷しやすくなる。一方、リブ２５ａの先端部が１２０度を超える鈍角α３の場合には、内部材１０の端部１４ａとの面接触による当接が十分でなく、外部材２０がそのまま回転してしまい回転規制できない場合がある。そこで、リブ２５ａの当接面２７ａを形成する先端部の角度は、例えば、６０度以上１２０度以下の範囲が好ましい。
【００３０】
＜リブを有する外部材の製造方法＞
図６Ａは、２つの金型３４ａ、３４ｂを用いて外部材２０を製造する際の金型３４ａ、３４ｂと外部材２０の内側のリブ２５との関係を示すｙｚ面についての概略断面図である。図６Ｂは、図６Ａの状態から金型３４ｂを抜き出した後、金型３４ａを矢印方向（−ｙ方向及び−ｚ方向）に移動させて金型３４ａを抜き出す製造方法の一工程を示すｙｚ面についての概略断面図である。
図６Ａに示すように、リブ２５は、外部材２０の内側に突出している。そのため、射出成形等による外部材２０の形成のために、例えば、内側の金型を一体的に設置した場合には、形成されたリブ２５によって金型を引き出すことができなくなる。そこで、図６Ａでは、内側の金型３４ａ、３４ｂを２つにしている。つまり、−ｚ方向にそのまま引き出せる金型３４ｂと、リブ２５を形成するための金型３４ａとを組み合わせている。まず、２つの金型３４ａ、３４ｂを用いることによって、外部材２０の内側に突出するリブ２５を形成する。その後、金型３４ｂをそのまま−ｚ方向に引き出した後、図６Ｂに示すように、金型３４ａをいったん−ｙ方向に移動させ、その後、−ｚ方向に引き出すことができる。
なお、外部材２０の射出成型時には、上記金型３４ａ、３４ｂだけでなく、周囲を覆う金型、幹部２１の内側上部の金型、枝部２３の内側の金型、等を用いるが、簡略化のためにこれらの金型についての説明は省略している。
【００３１】
＜吐出部＞
吐出部３０は、図１に示すように、外部材２０の枝部２３に連結されている。また、吐出部３０は、管３２と接続されており、吐出口２から水と湯との混合水を吐出する。なお、吐出部３０は、管３２と接続された状態で枝部２３との連結部分から引き出し可能に設けられていてもよい。
【００３２】
＜管＞
管３２は、内部材１０の内側から開口部１２を介して外部材２０の枝部２３の内部空間にわたって挿通され、吐出部３０と接続されている。管３２は、図１に示すように、接続されている吐出部３０と共に外部材２０の枝部との連結部分から引き出せるよう内部材１０の下部に引き回し部分を有してもよい。
なお、管３２は、水と湯との混合水を通すことができ、可撓性を有するものであればよく、樹脂製又は金属製のいずれであってもよい。
【００３３】
なお、本開示においては、前述した様々な実施の形態及び／又は実施例のうちの任意の実施の形態及び／又は実施例を適宜組み合わせることを含むものであり、それぞれの実施の形態及び／又は実施例が有する効果を奏することができる。
【産業上の利用可能性】
【００３４】
本発明に係る水栓によれば、別体の規制部材を用いることなく、外部材と一体的に設けられたリブによって外部材の回転を規制することができる。そこで、組み立て性及びコストに優れた水栓を提供できる。
【符号の説明】
【００３５】
１  レバー
２  吐出口
１０  内部材
１２  開口部
１４、１４ａ、１４ｂ  端部
１６ａ、１６ｂ  受け面
２０  外部材
２１  幹部
２２  仮想内面
２３  枝部
２４  分岐箇所
２５、２５ａ、２５ｂ  リブ
２６ａ  前端部
２６ｂ  後端部
２７ａ  当接面
３０  吐出部
３２  管
３４ａ、３４ｂ  金型
４０  水栓
【図１】
2019210634.tif 000003
【図２Ａ】
2019210634.tif 000004
【図２Ｂ】
2019210634.tif 000005
【図２Ｃ】
2019210634.tif 000006
【図２Ｄ】
2019210634.tif 000007
【図３Ａ】
2019210634.tif 000008
【図３Ｂ】
2019210634.tif 000009
【図４】
2019210634.tif 000010
【図５Ａ】
2019210634.tif 000011
【図５Ｂ】
2019210634.tif 000012
【図５Ｃ】
2019210634.tif 000013
【図６Ａ】
2019210634.tif 000014
【図６Ｂ】
2019210634.tif 000015
【図７Ａ】
2019210634.tif 000016
【図７Ｂ】
2019210634.tif 000017
【図７Ｃ】
2019210634.tif 000018
【図８】
2019210634.tif 000019
【図９Ａ】
2019210634.tif 000020
【図９Ｂ】
2019210634.tif 000021
【図１０Ａ】
2019210634.tif 000022
【図１０Ｂ】
2019210634.tif 000023
【図１０Ｃ】
2019210634.tif 000024